(57)【要約】【課題】内容液体注出容器の漏れ出しを確実に防止でき、かつ操作性のよい液体注出容器を提供すること。【解決手段】スクイズ変形可能な容器本体内に、筒体状のスクイズ変形し難い規制筒体を配置し、かつ容器本体内の正圧により開状態となり、規制筒体内部とノズル体とを連通させる第一弁体と、容器本体内の負圧により開状態となり通気孔を介して規制筒体内部とノズル体とを連通させる第二弁体とを設けた。このように、流出側弁体と流入側弁体とを分離させることにより、それぞれの弁体が有する弁強度を個別に設定でき、容器本体内からの内容液の漏れ出しを有効に防止するとともに容易にスクイズ変形される柔らかい材質で容器本体を形成できる。【選択図】  図１
2004210351.tif 000002
【特許請求の範囲】
【請求項１】
スクイズ変形可能な有底筒体の把持し易い箇所に押圧操作部を形成した胴部の上端に、口筒部を起立連設した容器本体と、
上方に向けて開口された注出口を有する、前記口筒部の外周に螺合される注出口本体と、
上端部が注出口本体の内周面に固定され、容器本体内に、少なくとも押圧操作部に対向する位置まで挿入され、窓孔を上部に開口した筒体状のスクイズ変形し難い規制筒体と、
前記規制筒体の上部周縁より該規制筒体の中心に向かって延設され、該中心部分に筒体状の保持部を備えた頂壁と、
前記保持部の外方に形成された、前記頂壁を表裏方向に貫通する通孔と、
前記保持部上部の内側面に組み付き、前記容器本体内の正圧、あるいは負圧により開状態となり、前記規制筒体内部と前記注出口とを連通させる第一弁体と、
前記保持部下部の外側面に組み付き、前記容器本体内の負圧、あるいは正圧により開状態となり前記通孔を介して前記規制筒体内部と前記注出口とを連通させる第二弁体と、
からなる液体注出容器。
【請求項２】
スクイズ変形可能な有底筒体の把持し易い箇所に押圧操作部を形成した胴部の上端に、口筒部を起立連設した容器本体と、
上方に向けて開口された注出口を有する、前記口筒部の外周に螺合される注出口本体と、
上端部が前記注出口本体の内周面、及び前記注出口外周に形成された円筒状の係止体とに固定され、前記容器本体内に、少なくとも前記押圧操作部に対向する位置まで挿入され、窓孔を上部に開口した筒体状のスクイズ変形し難い規制筒体と、
前記規制筒体の上部周縁より該規制筒体の中心に向かって延設された頂壁と、
前記頂壁の中心部分に形成され、側面に前記規制筒体内部と連通する開口窓を有する有蓋筒体と、
前記有蓋筒体と前記係止体の中間位置に開口され、前記規制筒体内部と前記注出口内部とを連通する通気孔と、
前記有蓋筒体の外側面に組み付き固定される円筒状の弁基部と、該弁基部の上面に前記規制筒体の中心に向けて延設され、前記有蓋筒体の頂部に当接する第一弁膜と、前記弁基部の下面に該弁基部の外周に向けて延設され、前記係止体の下面に先端が当接する第二弁膜とを有し、前記第一弁膜は前記容器本体内の正圧により開放され、弁膜開放時に前記開口窓と前記注出口とを連通させて内容物を前記容器本体内より流出させ、一方前記第二弁膜は前記容器本体内の負圧により開放され、弁膜開放時に前記通気孔を開放させて前記規制筒体内に空気を導入させる複合弁体と、
からなる液体注出容器。
【請求項３】
容器本体の正圧により開状態となる第一弁体、あるいは第二弁体の開放強度を、容器本体を倒立させ前記第一弁体あるいは第二弁体が前記容器本体内の内容液の自重から受ける圧力では少なくとも自然開放しない強度としたことを特徴とした請求項１に記載の液体注出容器。
【請求項４】
第一弁膜の開放強度を、容器本体を倒立させ前記第一弁膜が前記容器本体内の内容液の自重から受ける圧力では少なくとも自然開放しない強度としたことを特徴とした請求項２に記載の液体注出容器。
【請求項５】
頂壁は、規制筒体内周面から該規制筒体の中心に向けて上方に傾斜した、円錐台状に形成されていることを特徴とした請求項１〜４のいずれか１項に記載の液体注出容器。
【請求項６】
規制筒体の押圧操作部に対向した位置を含む部位を、該規制筒体の押圧操作部に対向した位置以外の部位の硬さより硬くしたことを特徴とした請求項１〜５のいずれか１項に記載の液体注出容器。
【請求項７】
規制筒体の押圧操作部に対向した位置を含む部位と、該部位以外の部位とを連結して構成したことを特徴とした請求項１〜６のいずれか１項に記載の液体注出容器。
【請求項８】
注出口本体は、注出口を上方に向けて延設されたノズル体としたノズル本体であることを特徴とした請求項１〜７のいずれか１項に記載の液体注出容器。
【請求項９】
注出口本体は、櫛歯先端部に注出口を有する櫛付きキャップ体であることを特徴とした請求項１〜７のいずれか１項に記載の液体注出容器。
【発明の詳細な説明】
【０００１】
【産業上の利用分野】
本発明は、容器のスクイズ性を利用して、容器内に収納したマヨネーズなどの食品類やシャンプー、リンス、および化粧品類等を適量ずつ注出する合成樹脂製の液体注出容器に関するものである。
【０００２】
【従来の技術】
胴部を把持した指先での押圧により、この胴部をスクイズ変形させてシャンプーやリンス等の内容液を注出する合成樹脂製の液体注出容器が知られている。
【０００３】
このスクイズ性を有する液体注出容器は、小さな注出口を有するキャップまたは中栓を容器本体の口筒部に組付け、容器本体を略倒立させた状態で、容器本体の胴部を押圧してスクイズ変形させ、この胴部のスクイズ変形により容器本体内に発生する正圧によって、内容液を注出口から整流状態で注出し、注出する内容液の量は、胴部に対する押圧操作に従ったスクイズ変形量により調整されるものとなっている。
【０００４】
ところがスクイズ性を利用した液体注出容器は、内容液の注出操作が簡単で、その取扱いが容易であるという利点を持っているのであるが、胴部に対する指先での押圧程度を一定化させることが困難であるため、一回の注出操作による内容液の注出量が一定せず、注出操作の度に使用する内容液の過不足が発生する場合が多かった。
【０００５】
また一回の注出操作による内容液の注出量を一定化する手段としては、注出ポンプを組付けた容器が利用されているが、この種の容器は、高価な注出ポンプを必要とするので、その分、容器の価格が高くなるだけではなく、携帯が不可能となるという問題が生じていた。
【０００６】
そこで、スクイズ変形可能な容器本体内に、容易にスクイズ変形されない規制筒体を設け、容器本体を規制筒体に当接するまでスクイズ変形可能としてスクイズ変形量を規制し、容器からの一定量の液体注出を可能とした液体注出容器が知られている。（例えば特許文献１参照。）。
【０００７】
【発明が解決しようとする課題】
しかしながら上記液体注出容器は、容器が転倒した場合とか、内容液注出後、容器を略倒立させた状態のまま胴部に対する押圧力を解除した場合等に内容液が漏れ出すのを防止するため、注出口に弁機能部を備えていたが、スクイズ変形を解除して負圧により空気を容器内に吸引させる際にも同一の弁機能部を開放させて空気を吸引させていた。
【０００８】
したがって、弁機能部の弁作用を強くすると内容液の漏れ出しを充分に防止できるが、空気吸引時の弁の開放に力を必要とし、容器の復元力を大きくしなければならなくなる。すると、スクイズ変形させ難い硬い容器となってしまう。
【０００９】
一方、柔らかい容器とするため弱い復元力で開放される弁機能部とすると、内容液の保持力が弱まり、特に内容量が多いときには内容液の自重で弁機能部が開放されてしまい、漏れ出しを有効に防止できなくなるということが考えられている。
【００１０】
本発明は、容器本体の強度を弱くし、胴部を柔らかくしてスクイズ変形を容易とし、かつ内容液の漏れ出しを有効に防止できる液体注出容器を提供することを目的とする。
【００１１】
また、内容液を円滑に、かつ最後の内容液まで注出できる液体注出容器を提供することを目的とする。
【００１２】
【特許文献１】
特開平１０−２４９５３号公報。
【００１３】
【課題を解決するための手段】
本発明では、上記課題を解決するため次のように定量注出容器を構成した。
【００１４】
請求項１に記載の発明は、スクイズ変形可能な有底筒体の把持し易い箇所に押圧操作部を形成した胴部の上端に、口筒部を起立連設した容器本体と、
上方に向けて開口された注出口を有する、前記口筒部の外周に螺合される注出口本体と、
上端部が注出口本体の内周面に固定され、容器本体内に、少なくとも押圧操作部に対向する位置まで挿入され、窓孔を上部に開口した筒体状のスクイズ変形し難い規制筒体と、
前記規制筒体の上部周縁より該規制筒体の中心に向かって延設され、該中心部分に筒体状の保持部を備えた頂壁と、
前記保持部の外方に形成された、前記頂壁を表裏方向に貫通する通孔と、
前記保持部上部の内側面に組み付き、前記容器本体内の正圧、あるいは負圧により開状態となり、前記規制筒体内部と前記注出口とを連通させる第一弁体と、
前記保持部下部の外側面に組み付き、前記容器本体内の負圧、あるいは正圧により開状態となり前記通孔を介して前記規制筒体内部と前記注出口とを連通させる第二弁体と、から液体注出容器を構成した。
【００１５】
これによれば、内容液体注出容器の漏れ出しを防止するため正圧で開状態となる第一弁体、もしくは第二弁体の弁強度を強くしても、空気の吸引は他の第二弁体、もしくは第一弁体弁体で行われるため、負圧で開状態となる弁体の弁強度を弱くすることにより容器本体の復元力が弱い場合であってもかかる弁体を開放させ、空気を容器内に確実に導き入れることができる。
【００１６】
請求項２に記載の発明は、スクイズ変形可能な有底筒体の把持し易い箇所に押圧操作部を形成した胴部の上端に、口筒部を起立連設した容器本体と、
上方に向けて開口された注出口を有する、前記口筒部の外周に螺合される注出口本体と、
上端部が前記注出口本体の内周面、及び前記注出口外周に形成された円筒状の係止体とに固定され、前記容器本体内に、少なくとも前記押圧操作部に対向する位置まで挿入され、窓孔を上部に開口した筒体状のスクイズ変形し難い規制筒体と、
前記規制筒体の上部周縁より該規制筒体の中心に向かって延設された頂壁と、
前記頂壁の中心部分に形成され、側面に前記規制筒体内部と連通する開口窓を有する有蓋筒体と、
前記有蓋筒体と前記係止体の中間位置に開口され、前記規制筒体内部と前記注出口内部とを連通する通気孔と、
前記有蓋筒体の外側面に組み付き固定される円筒状の弁基部と、該弁基部の上面に前記規制筒体の中心に向けて延設され、前記有蓋筒体の頂部に当接する第一弁膜と、前記弁基部の下面に該弁基部の外周に向けて延設され、前記係止体の下面に先端が当接する第二弁膜とを有し、前記第一弁膜は前記容器本体内の正圧により開放され、弁膜開放時に前記開口窓と前記注出口とを連通させて内容物を前記容器本体内より流出させ、一方前記第二弁膜は前記容器本体内の負圧により開放され、弁膜開放時に前記通気孔を開放させて前記規制筒体内に空気を導入させる複合弁体と、から液体注出容器を構成した。
【００１７】
これにより、規制筒体に組み付ける弁体を一体にでき、部品点数を減少させ、組立ての手間やコストを低減できる。
【００１８】
請求項３に記載の発明は、請求項１に記載の液体注出容器において、容器本体の正圧により開状態となる第一弁体、あるいは第二弁体の開放強度を、容器本体を倒立させ前記第一弁体あるいは第二弁体が前記容器本体内の内容液の自重から受ける圧力では少なくとも自然開放しない強度とした。
【００１９】
請求項４に記載の発明は、請求項２に記載の液体注出容器において、第一弁膜の開放強度を、容器本体を倒立させ第一弁膜が容器本体内の内容液の自重から受ける圧力では少なくとも自然開放しない強度とした。
【００２０】
これら請求項３または４により、容器を倒立させたときでも、内容液が第一弁体等を自然開放させて外部に漏れ出すことがなく、確実に内容液の漏れ出しを防止できる。
【００２１】
請求項５に記載の発明は、請求項１〜４のいずれか１項に記載の液体注出容器において、頂壁は、規制筒体内周面から該規制筒体の中心に向けて上方に傾斜した、円錐台状に形成されていることとした。これによれば、第一弁体に向けて頂壁が傾斜していることから、内容液を第一弁体に誘導し、円滑に流出でき、しかも最後の内容液まで確実に流出させることができる。
【００２２】
請求項６に記載の発明は、請求項１〜５のいずれか１項に記載の液体注出容器において、規制筒体の押圧操作部に対向した位置を含む部位を、該規制筒体の押圧操作部に対向した位置以外の部位の硬さより硬くしたことを特徴とした。これにより、容器本体のスクイズ変形を止めることができ、かつその他の部位での密着性や可撓性等を保持できる。
【００２３】
請求項７に記載の発明は、請求項１〜６のいずれか１項に記載の液体注出容器において、規制筒体の押圧操作部に対向した位置を含む部位と、該部位以外の部位とを連結して構成した。これにより、それぞれの部位を異なる材質より形成することができ、部位ごとに最適な材質を用いることができる。
【００２４】
請求項８に記載の発明は、請求項１〜７のいずれか１項に記載の液体注出容器において、注出口本体は、注出口を上方に向けて延設されたノズル体としたノズル本体であることとした。
【００２５】
請求項９に記載の発明は、請求項１〜７のいずれか１項に記載の液体注出容器において、注出口本体は、櫛歯先端部に注出口を有する櫛付きキャップ体であることとした。
【００２６】
【発明の実施の形態】
以下、本発明にかかる液体注出容器の一実施形態を、注出口をノズル体とした例を用いて図面を参照しながら説明する。尚、本発明の液体注出容器は、注出口本体がノズル本体でなく、ヒンジキャップなどの蓋付きキャップ体や、櫛歯先端部を注出口とした櫛付きキャップ体等でもよい。
【００２７】
液体注出容器１は、容器本体２と、容器本体２内に取り付けられた規制筒体４と、容器本体２の口筒部６に螺合組み付けされた注出口本体としてのノズル本体８と、ノズル本体８を覆うキャップ体１０等から構成されている。
【００２８】
容器本体２は、ポリエチレン樹脂や塩化ビニール樹脂等の比較的軟質な合成樹脂材料により壜体状にブロー成形されており、スクイズ変形可能な有底筒形状となった胴部３の上端に、外周面に螺条を刻設した口筒部６を起立させており、胴部３の中央部から上部にかけての把持し易い箇所が、押圧操作部５として形成されている。
【００２９】
規制筒体４は、上端がノズル本体８の内面６に固着される嵌着筒部９として形成され、また嵌着筒部９の下位部分には筒体本体部１２が形成されている。嵌着筒部９の上端部の外周には、リング状の縁体７が外方に突出して設けられ、縁体７を介して口筒部６の上面とノズル本体８とがパッキン１１を挟んで螺合固定されている。また筒体本体部１２の上部には、内容液が通過する窓孔１３が形成してある。
【００３０】
更に規制筒体４の上部には、上方に向けて傾斜した円錐台状の頂壁２０が中心部に向けて延設されている。この頂壁２０の中心部分には保持部としての筒体２１が上下にそれぞれ突出して形成してあり、筒体２１の内側には、流出口２２が開口されている。又筒体２１の上部内周面には第一弁体２３が嵌合組み付けされている。
【００３１】
第一弁体２３は、容器本体２の内部からの流出方向へは開放され、内容液の流出を許容し、一方容器本体２の内部方向へは閉鎖され、内容液や空気等の容器本体２内部への流入を阻止するようになっている。更に第一弁体２３は、容器本体２内に収容されている内容液の自重が加えられた程度の圧力では開放されない弁強度を有している。
【００３２】
また、筒体２１の外周の頂壁２０には、頂壁２０を表裏に貫通した複数の通気孔２４が設けてある。そして筒体２１の下部にはこれら通気孔２４を覆う環状で、屈曲した断面形状の第二弁体２５が組み付けられており、第二弁体２５は、容器本体２内への流入方向で開放し、通気孔２４を通して空気を容器本体２内に流入させるとともに容器本体２の外方への内容液等の流出を阻止するように形成されている。
【００３３】
ノズル本体８は、下部に螺合筒体１４を有し、螺合筒体１４から上方に向けてノズル体１５を延設させている。螺合筒体１４の内周面には雌ネジが形成されており、容器本体２の口筒部６の外周に形成された雄ネジに螺合組付きし、上述したように、容器本体２の口筒部６に強固に組付けられるとともに規制筒体４を挟持し固定している。
【００３４】
キャップ体１０は、カップ状で、ノズル本体８の外周に脱着自在に嵌合しており、頂部壁１６の内側下面からノズル本体８のノズル体１５の開口部に密に嵌入する円筒状の栓片１７が垂下されている。
【００３５】
次に液体注出容器１の作用について説明する。
【００３６】
キャップ体１０をノズル本体８から外し、容器本体２を略倒立させた状態で、押圧操作部５を規制筒体４に突き当たるまで押圧する。すると押圧量に応じた内容液が常に一定量ずつノズル体１５から注出される。
【００３７】
すなわち、胴部３の押圧操作部５を押圧することによって、容器本体２の胴部３がスクイズ変形し、これにより容器本体２内に発生した正圧により第一弁機能部の第一弁体２３が開いて内容液が窓孔１３、第一弁体２３、およびノズル体１５を通って注出される。
【００３８】
内溶液注出後、押圧操作部５の押圧を離し容器本体２を正立姿勢に戻すと、容器本体２の復元力により容器本体２の内部に負圧が生じ、この負圧により第二弁体２５が開放され、外気が第二弁体２５を通って容器本体２内に吸引される。空気の吸引により胴部３が原形に復帰し、そして次の注出操作に対応できる状態となる。
【００３９】
このように液体注出容器１によれば、容器本体２の胴部３を押圧して内容液を容器本体２から流出させるときは第一弁体２３を介して行われ、容器本体２の押圧を離して復元させるときは、第二弁体２５を通して空気を容器本体２内に導入させることから、第一弁体２３の開放強度と第二弁体２５の開放強度とをそれぞれ必要に応じた最適な値に設定できる。
【００４０】
このことから、例えば第一弁体２３の開放強度を強くして内容液の漏れ出しを有効に防止するとともに、第二弁体２５の開放強度を弱くして柔らかい材質で容器本体２を形成してスクイズ変形させるための容器の押圧を容易にするということが可能となる。
【００４１】
又、本実施形態おいては、規制筒体５上部に設けられた頂壁２０を上方に向けて傾斜した円錐台状に形成したので、容器本体２を倒立させたとき内容液を第一弁体２３に円滑に導くことができ、かつ最後の内容液まで第一弁体２３を介して注出させることができる。
【００４２】
尚、規制筒体５は一体でなく、規制筒体５を２つの部材から構成してもよい。すなわち、第一弁体２３や頂壁２０などを含む嵌着筒部９と、その下位部分に当る筒体本体部１２部分とを別体に、しかもそれぞれ別の性質を有する材料を用いて構成してもよい。このように両者を別体で構成すると、それぞれの強度、柔軟性等について最も相応しい材質を適宜選択した上で形成でき、例えば密閉性や締結の良好性が求められる嵌着筒部９には弾性を有する、比較的柔らかい材質を用い、一方容器本体２のスクイズ変形を停止させるための筒体本体部１２部分には、比較的強度が高く、容易に変形しない材質をそれぞれ用いることができる。このようにすれば、規制筒体５をより液体注出容器１に相応しいものとできる。
【００４３】
また、上記例では第一弁体２３を正圧で開状態となり、一方第二弁体２５を負圧で開状態となるとしたが、これら関係が逆であってもよい。すなわち、容器本体２の胴部３を押圧すると、第二弁体２５、つまり保持部としての筒体２１の周辺から内容液を流出させ、中心部分から空気を導入させるようにしてもよい。
【００４４】
図３に、液体注出容器の他の例を示す。これは流出側の第一弁体と流入側の第二弁体とを一体に成形した弁体構造を有する液体注出容器である。
【００４５】
この液体注出容器３０は、頂壁３１の中央部分に上方に突出した突起体３２を有し、突起体３２の外周に弁体３３が嵌合されている。弁体３３は環状で、かつ断面が鉤状であり、円筒状の弁基部３４が突起体３２の外周に嵌合し、弁基部３４の上部に設けられた第一弁膜３５が突起体３２の上部に開口した流出口３６を覆い、流出口３６からの内容液の流出を許容する一方、流出口３６からの内容液や空気等の容器本体２内への流入を阻止するように形成されている。
【００４６】
また弁基部３４の下部には第二弁膜３７が設けられ、第二弁膜３７は先端がノズル本体４２のノズル体４３の下部から垂下された隔壁４４の下部に密着し、頂壁３１に形成された通気孔３８を、容器本体２内への空気の流入を許容する一方、容器本体２外への空気や内容液の流出を阻止するように覆っている。
【００４７】
このように構成すると、流出口と流入口のそれぞれに設けられた弁体を一体に形成することができ、構成、組立て等を簡易にでき、しかもそれぞれの弁膜の厚みや長さ等を適宜選択することによりそれぞれの弁体に必要な強度を持たせて形成できる。
【００４８】
更にかかる一体に形成した弁体３４の場合においても、規制筒体４において嵌着筒部９と、その下位部分の筒体本体部１２部分とを別体に構成してもよい。このように構成しても、上記述べたと同様の効果を得ることができる。
【００４９】
更に本発明では、ノズル本体８に代えて先端部に注出口を有する櫛歯からなる櫛付きキャップ体でもよい。櫛付きキャップ体は、口筒部６に螺合されるキャップ体に櫛歯を備えた櫛体を設け、櫛体の内部に容器本体２内に通じる通路を形成するとともに通路から各櫛歯内を通って各櫛歯の先端部に開口された注出口まで通路を連通させている。
【００５０】
このような櫛付きキャップ体を口筒部６に組みつけても、上記と同様の効果を得ることができる。尚、容器本体への空気の流入にあたっては、この場合櫛歯内を通すのではなく直接容器外から導入させる方が好ましい。
【００５１】
【発明の効果】
本発明によれば次のような効果を有する。
【００５２】
請求項１に記載の発明は、スクイズ変形可能な有底筒体の把持し易い箇所に押圧操作部を形成した胴部の上端に、口筒部を起立連設した容器本体と、上方に向けて開口された注出口を有する、前記口筒部の外周に螺合される注出口本体と、上端部が注出口本体の内周面に固定され、容器本体内に、少なくとも押圧操作部に対向する位置まで挿入され、窓孔を上部に開口した筒体状のスクイズ変形し難い規制筒体と、前記規制筒体の上部周縁より該規制筒体の中心に向かって延設され、該中心部分に筒体状の保持部を備えた頂壁と、前記保持部の外方に形成された、前記頂壁を表裏方向に貫通する通孔と、前記保持部上部の内側面に組み付き、前記容器本体内の正圧、あるいは負圧により開状態となり、前記規制筒体内部と前記注出口とを連通させる第一弁体と、前記保持部下部の外側面に組み付き、前記容器本体内の負圧、あるいは正圧により開状態となり前記通孔を介して前記規制筒体内部と前記注出口とを連通させる第二弁体と、から液体注出容器を構成した。
【００５３】
これによれば、内容液体注出容器の漏れ出しを防止するため正圧で開状態となる第一弁体、もしくは第二弁体の弁強度を強くしても、空気の吸引は他の第二弁体、もしくは第一弁体で行われるため、負圧で開状態となる弁体の弁強度を弱くすることにより容器本体の復元力が弱い場合であってもかかる弁体を開放させ、空気を容器内に確実に導き入れることができる。
【００５４】
請求項２に記載の発明は、スクイズ変形可能な有底筒体の把持し易い箇所に押圧操作部を形成した胴部の上端に、口筒部を起立連設した容器本体と、上方に向けて開口された注出口を有する、前記口筒部の外周に螺合される注出口本体と、上端部が前記注出口本体の内周面、及び前記注出口外周に形成された円筒状の係止体とに固定され、前記容器本体内に、少なくとも前記押圧操作部に対向する位置まで挿入され、窓孔を上部に開口した筒体状のスクイズ変形し難い規制筒体と、前記規制筒体の上部周縁より該規制筒体の中心に向かって延設された頂壁と、前記頂壁の中心部分に形成され、側面に前記規制筒体内部と連通する開口窓を有する有蓋筒体と、前記有蓋筒体と前記係止体の中間位置に開口され、前記規制筒体内部と前記注出口内部とを連通する通気孔と、前記有蓋筒体の外側面に組み付き固定される円筒状の弁基部と、該弁基部の上面に前記規制筒体の中心に向けて延設され、前記有蓋筒体の頂部に当接する第一弁膜と、前記弁基部の下面に該弁基部の外周に向けて延設され、前記係止体の下面に先端が当接する第二弁膜とを有し、前記第一弁膜は前記容器本体内の正圧により開放され、弁膜開放時に前記開口窓と前記注出口とを連通させて内容物を前記容器本体内より流出させ、一方前記第二弁膜は前記容器本体内の負圧により開放され、弁膜開放時に前記通気孔を開放させて前記規制筒体内に空気を導入させる複合弁体と、から液体注出容器を構成した。
【００５５】
これにより、組み付ける弁体を一体にでき、部品点数を減少させ、組立ての手間やコストを低減できる。
【００５６】
請求項３に記載の発明は、請求項１に記載の液体注出容器において、容器本体の正圧により開状態となる第一弁体、あるいは第二弁体の開放強度を、容器本体を倒立させ前記第一弁体あるいは第二弁体が前記容器本体内の内容液の自重から受ける圧力では少なくとも自然開放しない強度とした。
【００５７】
請求項４に記載の発明は、請求項２に記載の液体注出容器において、第一弁膜の開放強度を、容器本体を倒立させ前記第一弁膜が前記容器本体内の内容液の自重から受ける圧力では少なくとも自然開放しない強度とした。
【００５８】
これら請求項３または４により、容器を倒立させたときでも、内容液が第一弁体等を自然開放させて外部に漏れ出すことがなく、確実に内容液の漏れ出しを防止できる。
【００５９】
請求項５に記載の発明は、請求項１〜４のいずれか１項に記載の液体注出容器において、頂壁は、規制筒体内周面から該規制筒体の中心に向けて上方に傾斜した、円錐台状に形成されていることとした。これによれば、第一弁体に向けて頂壁が傾斜していることから、内容液を第一弁体に誘導し、円滑に流出でき、しかも最後の内容液まで確実に流出させることができる。
【００６０】
請求項６に記載の発明は、請求項１〜５のいずれか１項に記載の液体注出容器において、規制筒体の押圧操作部に対向した位置を含む部位を、該規制筒体の押圧操作部に対向した位置以外の部位の硬さより硬くしたことを特徴とした。これにより、容器本体のスクイズ変形を規制部材で止めることができ、かつその他の部位での密着性や可撓性等を保持できる。
【００６１】
請求項７に記載の発明は、請求項１〜６のいずれか１項に記載の液体注出容器において、規制筒体の押圧操作部に対向した位置を含む部位と、該部位以外の部位とを連結して構成した。これにより、それぞれの部位を異なる材質より形成することができ、部位ごとに最適な材質を用いることができる。
【００６２】
請求項８に記載の発明は、請求項１〜６のいずれか１項に記載の液体注出容器において、注出口本体は、注出口を上方に向けて延設されたノズル体としたノズル本体であることとした。
【００６３】
請求項９に記載の発明は、請求項１〜６のいずれか１項に記載の液体注出容器において、注出口本体は、櫛歯先端部に注出口を有する櫛付きキャップ体であることとした。
【００６４】
これら、ノズルや櫛を設けても上述したと同様な効果が得られる。
【図面の簡単な説明】
【図１】本発明にかかる液体注出容器の一実施形態を示す断面図である。
【図２】液体注出容器の使用状態を示す断面図である。
【図３】液体注出容器の他の実施形態を示す断面図である。
【符号の説明】
１  ；  液体注出容器
２  ；  容器本体
３  ；  胴部
４  ；  規制筒体
５  ；  押圧操作部
６  ；  口筒部
７  ；  縁体
８  ；  ノズル本体
９  ；  嵌着筒部
１０  ；キャップ体
１１  ；パッキン
１２  ；筒体本体
１３  ；窓孔
１４  ；螺合筒体
１５  ；ノズル体
１６  ；頂部壁
１７  ；栓片
２０  ；頂壁
２１  ；筒体
２２  ；流出口
２３  ；第一弁体
２４  ；通気孔
２５  ；第二弁体
３０  ；液体注出容器
３１  ；頂壁
３２  ；突起体
３４  ；弁体
３５  ；第一弁膜
３６  ；流出口
３７  ；第二弁膜
３８  ；通気孔
４２  ；ノズル本体
４３  ；ノズル体
４４  ；隔壁
【図１】
2004210351.tif 000003
【図２】
2004210351.tif 000004
【図３】
2004210351.tif 000005